(57)【要約】【課題】クランプ時にガイド壁によって可撓性チューブの流体の流れの遮断が不十分となるのを回避することができるとともに、クランプの作業性を向上させることができる可撓性チューブのクランプ装置を提供する。【解決手段】第１凸部６を有した一端部２と、第２凸部７を有した他端部３と、一端部２及び他端部３に連なる中間部１０と、一端部２を係合させる係合部３ａとを具備し、第１凸部６と第２凸部７との間に可撓性チューブＣを挿通した状態にて中間部１０を撓ませつつ一端部２を係合部３ａに係合させて可撓性チューブＣをクランプし、その部位における流体の流れを遮断する可撓性チューブのクランプ装置であって、一端部２を係合部３ａに案内するためのガイド壁８を第１凸部６又は第２凸部７の縁部から立設させるとともに、可撓性チューブＣをガイド壁８から離間させるための突出部９を設けたものである。【選択図】  図１
2005027721.tif 000002
【特許請求の範囲】
【請求項１】
第１凸部が形成された一端部と、
前記第１凸部と対向する第２凸部が形成された他端部と、
前記一端部及び他端部に連なる中間部と、
前記他端部に形成され前記一端部を係合させる係合部と、
を具備し、前記第１凸部と第２凸部との間に可撓性チューブを挿通した状態にて前記中間部を撓ませつつ前記一端部を係合部に係合させると、前記第１凸部と第２凸部とが近接して前記可撓性チューブをクランプし、その部位における流体の流れを遮断する可撓性チューブのクランプ装置であって、
前記一端部を係合部に案内するためのガイド壁を前記第１凸部又は第２凸部の縁部から立設させるとともに、前記第１凸部と第２凸部との間に挿通された可撓性チューブを前記ガイド壁から離間させるための離間手段を設けたことを特徴とする可撓性チューブのクランプ装置。
【請求項２】
前記離間手段は、挿通された可撓性チューブを前記ガイド壁から離間した位置に位置決めすべく内側に突出した突出部から成ることを特徴とする請求項１記載の可撓性チューブのクランプ装置。
【請求項３】
前記突出部は、ガイド壁の内面における前記第１凸部又は第２凸部の移動軌跡から外れた位置に設けられたことを特徴とする請求項２記載の可撓性チューブのクランプ装置。
【発明の詳細な説明】
【０００１】
【発明の属する技術分野】
本発明は、例えば血液回路等の体外循環回路、補助回路、又は輸液回路等を構成する可撓性チューブをクランプし、その部位における流体の流れを遮断するための可撓性チューブのクランプ装置に関するものである。
【０００２】
【従来の技術】
一般に透析装置等における血液回路は、医療現場における患者の血液や生理食塩水又は投与する薬剤等を流動させる可撓性チューブから主に構成されており、ダイアライザーやドリップチャンバーといった各構成要素間を連結するものである。かかる可撓性チューブの所望の部位を遮断するクランプ装置は、従来、図１１〜図１３に示すように、一端部１０２と、挿通孔１０５及び係合部１０３ａが形成された他端部１０３と、挿通孔１０４が形成された中間部１１０とから主に構成されていた。
【０００３】
また、上記クランプ装置１０１の一端部１０２及び他端部１０３には、互いに対向する第１凸部１０６及び第２凸部１０７が形成されており、中間部１１０を撓ませて一端部１０２を他端部１０３の係合部１０３ａに係合させると、第１凸部１０６と第２凸部１０７とが近接し、挿通孔１０４及び１０５に挿通された可撓性チューブＣをクランプし、その部位で流体の流動を遮断するよう構成されていた（例えば、特許文献１及び特許文献２にてかかる構成のクランプ装置が開示されている）。
【０００４】
然るに、本出願人は、中間部１１０を撓ませて一端部１０２を他端部１０３の係合部１０３ａに係合させる際、一端部１０２が係合部１０３の幅方向へずれた位置にて係合されるのを回避すべく、同図に示すようなガイド壁１０８を設けたものを提案するに至った。かかるガイド壁１０８は、クランプ時に一端部１０２が係合部１０３ａへ移動する過程において、当該一端部１０２に形成された第１凸部１０６を案内するためのもので、図１２及び図１３に示すように、他端部１０３における第２凸部の両縁部から同図中上方に立設されて成る。
【０００５】
【特許文献１】
実開平６−８６７４３号公報
【特許文献２】
特開２００１−３５３２１５号公報
【０００６】
【発明が解決しようとする課題】
しかしながら、上記従来の可撓性チューブのクランプ装置においては、以下の如き問題があった。即ち、挿通孔１０４及び１０５に挿通された可撓性チューブＣが第１凸部１０６及び第２凸部１０７にてクランプされる際、図１４（ａ）に示す如く外径寸法ｔであったものが、同図（ｂ）で示す如く幅方向の寸法Ｔとなり、当該幅方向の寸法は増大してしまう。
【０００７】
従って、図１３で示すように、可撓性チューブＣがガイド壁１０８の内面１０８ａに極めて近接した位置又は当接した位置にある場合、第１凸部１０６と第２凸部１０７とでクランプする際、可撓性チューブＣの増大する幅方向の寸法を許容できず、当該可撓性チューブＣの流体の流れの遮断が不十分になる虞があるため、可撓性チューブＣがガイド壁１０８に近接した位置にならないように、注意深く作業を行う必要があった。尚、このような状態においても、可撓性チューブＣの材質や大きさによっては、クランプを無理やり行うことも可能ではあるが、通常より大きな力で一端部１０２を係合部１０３ａによる係合位置まで移動させる必要があり、作業性が悪化してしまうという問題もあった。
【０００８】
特に医療現場等においては、早急な作業を必要としている場合が多く、クランプ装置の操作において注意深く正確な作業を行うことは、早急な作業を行う医療現場にとって大きな問題であった。
【０００９】
本発明は、このような事情に鑑みてなされたもので、クランプ時にガイド壁によって可撓性チューブの流体の流れの遮断が不十分となるのを回避することができるとともに、クランプの作業性を向上させることができる可撓性チューブのクランプ装置を提供することにある。
【００１０】
【課題を解決するための手段】
請求項１記載の発明は、第１凸部が形成された一端部と、前記第１凸部と対向する第２凸部が形成された他端部と、前記一端部及び他端部に連なる中間部と、前記他端部に形成され前記一端部を係合させる係合部とを具備し、前記第１凸部と第２凸部との間に可撓性チューブを挿通した状態にて前記中間部を撓ませつつ前記一端部を係合部に係合させると、前記第１凸部と第２凸部とが近接して前記可撓性チューブをクランプし、その部位における流体の流れを遮断する可撓性チューブのクランプ装置であって、前記一端部を係合部に案内するためのガイド壁を前記第１凸部又は第２凸部の縁部から立設させるとともに、前記第１凸部と第２凸部との間に挿通された可撓性チューブを前記ガイド壁から離間させるための離間手段を設けたことを特徴とする。
【００１１】
請求項２記載の発明は、請求項１記載の可撓性チューブのクランプ装置において、前記離間手段は、挿通された可撓性チューブを前記ガイド壁から離間した位置に位置決めすべく内側に突出した突出部から成ることを特徴とする。
【００１２】
請求項３記載の発明は、請求項２記載の可撓性チューブのクランプ装置において、前記突出部は、ガイド壁の内面における前記第１凸部又は第２凸部の移動軌跡から外れた位置に設けられたことを特徴とする。
【００１３】
【発明の実施の形態】
以下、本発明の実施形態について図面を参照しながら具体的に説明する。
第１の実施形態に係る可撓性チューブのクランプ装置は、例えば人工透析治療時に患者の血液を流すべく使用される血液回路や、該血液回路に接続された各種構成要素から延設された薬剤や生理食塩水等を流すための流路を構成する可撓性チューブをクランプし、その内部の流体の流れを遮断するためのものであり、例えば図１〜図４に示すような構成とされている。
【００１４】
かかるクランプ装置１は、第１凸部６が形成された一端部２と、第２凸部７が形成された他端部３と、これら一端部２と他端部３とに連なる中間部１０とから主に成り、これら部位は所定の樹脂（例えば、ポリプロピレン、オレフィン系樹脂又はポリエチレン等）を一体成形して構成されている。尚、可撓性チューブをクランプする前の状態が図１〜図３に示されており、クランプした状態が図４に示されている。
【００１５】
一端部２は、その内側の面（図１における下面）から下方に延びて形成された凸状の第１凸部６を有しており、外側の面（同図上面）には作業者がクランプ作業時に指を滑らせないよう凹凸形状が形成されている。また、一端部２の先端は、厚み方向（図１の方向）から見て鋭角に形成されており、後述する係合部３ａとの係合がスムーズになされるよう構成されている。
【００１６】
中間部１０は、一端部２と他端部３との間に位置した部位であって、可撓性チューブＣを挿通させる一方の挿通孔４が形成されている。作業者は、この中間部１０を撓ませることにより、一端部２の先端が他端部３の先端と近接する方向へ移動させ、当該一端部２が係合部３ａに係合されて、図４の状態（即ちクランプ状態）とすることができる。
【００１７】
他端部３は、図１に示すように、略水平方向に延びた部位から起立した部位に亘って構成され、その水平方向に延びた部位に第２凸部７が形成されている。かかる第２凸部７は、既述の第１凸部６と対向した位置に形成されており、クランプ前の状態では、これら第１凸部６と第２凸部７とは、可撓性チューブＣを通すことが可能な離間寸法とされている。
【００１８】
また、他端部３における起立した部位には、可撓性チューブＣを挿通するための他方の挿通孔５が形成されており、かかる他方の挿通孔５から既述した一方の挿通孔４まで可撓性チューブを挿通し、第１凸部６と第２凸部７との間に当該可撓性チューブを位置させることができるようになっている。
【００１９】
更に、他端部３における起立した部位の先端には、係合部３ａが形成されている。具体的には、他端部３の先端における内側面は、一端部２の先端が摺動し得るようなだらかに起伏した形状とされ、所定位置で段差を形成し、該段差が係合部３ａを成している。即ち、一端部２が係合部３ａに係合されると、中間部１０等の復元力によって一端部２が元の状態に戻ろうとするのを抑止し、図４の状態を維持することができるのである。
【００２０】
かかる係合部３ａに一端部２の先端が係合された状態（図４のクランプ状態）では、第１凸部６と第２凸部７とが可撓性チューブＣの上下から挟み込み、当該可撓性チューブＣの断面形状を図１４（ｂ）で示すようにすることにより、内部の流体の流れを遮断することが可能とされている。即ち、一方の挿通孔４及び他方の挿通孔５に挿通された可撓性チューブＣの一部が、第１凸部６及び第２凸部７によって押し潰され、流体の流路が閉塞されるのである。
【００２１】
ところで、図１における他端部３の略水平方向に延びた部位であって、第２凸部７の両縁部からは一対のガイド壁８が立設されている。かかる一対のガイド壁８は、図２で示すように、それら内面８ａ間の寸法が第１凸部６の幅より若干大きく形成され、一端部２を係合部３ａに係合すべく移動させる際のガイドの役割を果たすものである。
【００２２】
即ち、この一対のガイド壁８の内面８ａに沿って第１凸部６が移動するので、同図における一端部２の横方向のずれを回避でき、該一端部２の先端を確実に係合部３ａまでガイドし得るよう構成されているのである。尚、本実施形態においては、他端部３における第２凸部７の両縁部にガイド壁８が形成されているが、一端部２における第１凸部６の両縁部に同様のガイド壁を設け、ガイドするようにしてもよい。
【００２３】
更に、一対のガイド壁８の内面８ａには離間手段としての突出部９が内側に向かってそれぞれ突出形成されている。これら突出部９は、図１で示す通常状態から図４で示すクランプ状態まで一端部２を移動させる際、第１凸部６の移動軌跡から外れた位置に凸状に形成されており、クランプ時に突出部９に第１凸部６が干渉しないよう構成されている。
【００２４】
上記突出部９により、図３に示すように、一方の挿通孔４及び他方の挿通孔５に挿通された可撓性チューブＣがガイド壁８の内面８ａから離間させることができ、従来の如きガイド壁８に可撓性チューブＣが極めて近接又は当接した状態において生じる不具合を回避することができる。即ち、突出部９により可撓性チューブＣをガイド壁８から離間した位置に位置決めすることができるので、クランプ時に可撓性チューブＣの幅が増大しても、その増大分の寸法を許容することができるのである。
【００２５】
従って、クランプ時にガイド壁８によって可撓性チューブＣの流体の流れの遮断が不十分となるのを回避することができるとともに、クランプ時に生じる可撓性チューブの幅の増大によって当該可撓性チューブの側面がガイド壁８の内面８ａに強く押し付けられるのを回避でき、大きなクランプ力を必要とすることがないので、クランプの作業性を向上させることができる。
【００２６】
また、ガイド壁８から可撓性チューブＣを離間させるための突出部９（離間手段）を当該ガイド壁８自体に設けたので、他の部位に設けたものに比べ、より有効に、且つ、確実に可撓性チューブＣをガイド壁８から離間させることができる。即ち、可撓性チューブＣは曲がりぐせ（通常状態で曲がった形状となってしまう状態）等が付いている場合が多く、ガイド壁８から離間した部位で当該可撓性チューブＣを位置決めしたとしても、ガイド壁８近傍で近接又は当接してしまうことが想定されるので、ガイド壁８自体に離間手段としての突出部９を設けることにより、かかる不具合を有効に回避することができるのである。
【００２７】
次に、本発明の第２の実施形態について説明する。
本実施形態に係る可撓性チューブのクランプ装置は、第１の実施形態と同様、人工透析治療時に使用される血液回路や該回路に接続された各種構成要素から延設された流路を構成する可撓性チューブをクランプするためのものであり、図５〜図７に示すように、第１凸部６が形成された一端部２と、第２凸部７が形成された他端部３と、これら一端部２と他端部３とに連なる中間部１０とから主に構成されている。尚、第１実施形態と同様の構成部位については、同一の符号を付すこととし、詳細な説明を省略する。
【００２８】
本実施形態におけるクランプ装置１には、第１実施形態と同様、ガイド壁８が形成されており、図７に示すように、可撓性チューブＣを当該ガイド壁８から離間させるための突出部１１，１２が一方の挿通孔４及び他方の挿通孔５にそれぞれ形成されている。具体的には、突出部１１及び１２は、挿通孔４、５の両側縁からそれぞれ突出されているので、例えば図６に示すように他端部３側から見た場合、突出部１２（突出部１１も同様）は、挿通孔５の開口幅を両側縁から小さくする方向に突出した状態とされている。
【００２９】
また、かかる突出部１１、１２は、中間部１０及び他端部３における挿通孔４、５の両側縁に一体成形されたもので、外見上、第１の実施形態における一方の挿通孔４及び他方の挿通孔５の開口幅を小さくしたものと略同様となる。これら突出部１１、１２により、クランプ装置１の幅方向に対して略中央位置に可撓性チューブＣが挿通孔４、５を挿通することとなるので、当該可撓性チューブＣはガイド壁８から離間された位置に位置決めされ、クランプ時に可撓性チューブＣの幅寸法が増大しても許容することができる。
【００３０】
次に、本発明の第３の実施形態について説明する。
本実施形態に係る可撓性チューブのクランプ装置は、第１及び第２の実施形態と同様、人工透析治療時に使用される血液回路や該回路に接続された各種構成要素から延設された流路を構成する可撓性チューブをクランプするためのものであり、図８〜図１０に示すように、第１凸部６が形成された一端部２と、第２凸部７が形成された他端部３と、これら一端部２と他端部３とに連なる中間部１０とから主に構成されている。尚、第１及び第２の実施形態と同様の構成部位については、同一の符号を付すこととし、詳細な説明を省略する。
【００３１】
本実施形態におけるクランプ装置１には、第１及び第２の実施形態と同様、ガイド壁８が形成されており、図１０に示すように、可撓性チューブＣを当該ガイド壁８から離間させるための突出部１３，１４が他方の挿通孔５及び一方の挿通孔４にそれぞれ形成されている。具体的には、突出部１３は挿通孔５の一方の側縁面から、突出部１４は挿通孔４の他方の側縁面からそれぞれ突出されているので、例えば図９に示すように他端部３側から見た場合、突出部１３は、挿通孔５の一方の側縁面から開口幅を小さくする方向に突出した状態とされている。同様に、突出部１４は、挿通孔４の他方の側縁面から開口幅を小さくする方向に突出した形状とされている。
【００３２】
即ち、第２実施形態に係る突出部１１、１２が挿通孔４、５における両側縁からそれぞれ突出して、挿通される可撓性チューブＣをクランプ装置１の幅方向に対し中央に位置決めさせるのに対し、本実施形態に係る突出部１３、１４は、挿通孔４、５における対峙する片方の側縁からそれぞれ突出して、挿通される可撓性チューブＣを他端部３の略水平方向に延びた部位において略対角線上（図１０参照）に位置決めするよう構成されている。
【００３３】
かかる突出部１３、１４により位置決めされた可撓性チューブＣは、第１及び第２実施形態と同様、ガイド壁８の内面から離間された位置に位置決めされることとなり、クランプ時に可撓性チューブＣの幅寸法が増大しても許容することができる。尚、かかる突出部１３、１４は、第２の実施形態と同様、中間部１０及び他端部３における挿通孔４、５の側縁に一体成形されたもので、外見上、第１の実施形態における一方の挿通孔４及び他方の挿通孔５の開口幅を小さくしたものと略同様となる。
【００３４】
以上、第１〜第３の実施形態について説明したが、本発明はこれらに限定されるものではなく、例えば血液回路やそれに付随する流路を構成する医療用の可撓性チューブをクランプするものの他、他の可撓性チューブをクランプするものに適用することができる。また、上記実施形態のものは、いずれも突出部にてガイド壁から可撓性チューブを離間させた状態としているが、挿通された可撓性チューブをガイド壁から離間させる手段であれば、他の形態のものであってもよい。
【００３５】
更に、第１〜第３の実施形態における突出部は、いずれもクランプ装置１と一体成形されたものであるが、突出部を別体としてクランプ装置１の所定位置（例えば第１の実施形態であればガイド壁、第２及び第３の実施形態であれば挿通孔）に接着又は融着させて形成するようにしてもよい。
【００３６】
【発明の効果】
請求項１の発明によれば、第１凸部と第２凸部との間に挿通された可撓性チューブをガイド壁から離間させるための離間手段を設けたので、クランプ時にガイド壁によって可撓性チューブの流体の流れの遮断が不十分となるのを回避することができるとともに、クランプの作業性を向上させることができる。
【００３７】
請求項２の発明によれば、離間手段が、挿通された可撓性チューブをガイド壁から離間した位置に位置決めすべく内側に突出した突出部から成るので、簡単な構成にて、クランプ時にガイド壁によって可撓性チューブの流体の流れの遮断が不十分となるのを回避することができるとともに、クランプの作業性を向上させることができる。
【００３８】
請求項３の発明によれば、突出部が、ガイド壁の内面における第１凸部又は第２凸部の移動軌跡から外れた位置に設けられたので、より有効に、且つ、確実に可撓性チューブをガイド壁から離間させることができる。
【図面の簡単な説明】
【図１】本発明の第１の実施形態に係る可撓性チューブのクランプ装置（クランプ前の状態）を示す側面図
【図２】図１におけるＩＩ矢視図
【図３】図１におけるＩＩＩ−ＩＩＩ線断面図
【図４】本発明の第１の実施形態に係る可撓性チューブのクランプ装置（クランプ状態）を示す側面図
【図５】本発明の第２の実施形態に係る可撓性チューブのクランプ装置を示す側面図
【図６】図５におけるＶＩ矢視図（正面図）
【図７】図５におけるＶＩＩ−ＶＩＩ線断面図
【図８】本発明の第３の実施形態に係る可撓性チューブのクランプ装置を示す側面図
【図９】図８におけるＩＸ矢視図（正面図）
【図１０】図８におけるＸ−Ｘ線断面図
【図１１】従来の可撓性チューブのクランプ装置を示す側面図
【図１２】図１１におけるＸＩＩ矢視図
【図１３】図１１におけるＸＩＩＩ−ＸＩＩＩ線断面図
【図１４】（ａ）挿通孔に挿通された可撓性チューブＣであってクランプ前の状態を示す断面模式図（ｂ）同クランプされて流体の流路が遮断された状態を示す断面模式図
【符号の説明】
１…クランプ装置
２…一端部
３…他端部
３ａ…係合部
４…一方の挿通孔
５…他方の挿通孔
６…第１凸部
７…第２凸部
８…ガイド壁
８ａ…内面
９…突出部（離間手段）
１０…中間部
１１、１２…突出部（離間手段）
１３、１４…突出部（離間手段）
【図１】
2005027721.tif 000003
【図２】
2005027721.tif 000004
【図３】
2005027721.tif 000005
【図４】
2005027721.tif 000006
【図５】
2005027721.tif 000007
【図６】
2005027721.tif 000008
【図７】
2005027721.tif 000009
【図８】
2005027721.tif 000010
【図９】
2005027721.tif 000011
【図１０】
2005027721.tif 000012
【図１１】
2005027721.tif 000013
【図１２】
2005027721.tif 000014
【図１３】
2005027721.tif 000015
【図１４】
2005027721.tif 000016